【手続補正書】
【提出日】平成27年11月6日(2015.11.6)
【手続補正１】
【補正対象書類名】特許請求の範囲
【補正対象項目名】全文
【補正方法】変更
【補正の内容】
【特許請求の範囲】
【請求項１】
画像データと、前記画像データに合成される、複数のレイヤの素材データとを記憶するメモリと、
前記メモリを制御するメモリ制御手段と、
前記素材データのリクエストを出力し、前記メモリから読み出された素材データを、前記メモリから読み出された前記画像データに対して合成し、第１の合成画像データを生成する第１の合成手段と、
前記素材データのリクエストを出力し、前記メモリから読み出された素材データを、前記メモリから読み出された前記画像データに対して合成し、第２の合成画像データを生成する第２の合成手段
とを備え、
前記複数のレイヤは、前記第１の合成画像データ及び前記第２の合成画像データのために共に用いられる素材データを含む共通レイヤと、前記第１の合成画像データ及び前記第２の合成画像データのうち一方のために用いられ他方のために用いられない素材データを含む独自レイヤとを含み、
前記第１の合成手段と前記第２の合成手段が前記共通レイヤの素材データの合成を行う場合、前記第１の合成手段は前記共通レイヤの素材データのリクエストを出力して前記第２の合成手段は前記共通レイヤの素材データのリクエストを出力しないようにマスクし、前記メモリ制御手段は、前記第１の合成手段から出力された前記共通レイヤの素材データのリクエストに応じて前記共通レイヤの素材データを前記メモリから読み出して、前記第１の合成手段及び前記第２の合成手段に共に出力し、
前記第１の合成手段が前記第１の合成画像データのための第１の独自レイヤの素材データの合成を行う場合、前記第１の合成手段は前記第１の独自レイヤの素材データのリクエストを出力し、前記メモリ制御手段は、前記第１の合成手段から出力された前記第１の独自レイヤの素材データのリクエストに応じて前記第１の独自レイヤの素材データを前記メモリから読み出して、前記第１の合成手段に出力し、
前記第２の合成手段が前記第２の合成画像データのための第２の独自レイヤの素材データの合成を行う場合、前記第２の合成手段は前記第２の独自レイヤの素材データのリクエストを出力し、前記メモリ制御手段は、前記第２の合成手段から出力された前記第２の独自レイヤの素材データのリクエストに応じて前記第２の独自レイヤの素材データを前記メモリから読み出して、前記第２の合成手段に出力する
ことを特徴とする画像処理装置。
【請求項２】
前記第１の合成手段と前記第２の合成手段の出力画像サイズ、出力フレームレート及び出力タイミングが同じである場合に、前記第１の合成手段と前記第２の合成手段が同じタイミングで動作することを特徴とする請求項１に記載の画像処理装置。
【請求項３】
前記第１の合成手段と前記第２の合成部はそれぞれ、１ラインの前記画像データと１ラインの前記共通レイヤの素材データとを合成し、
前記第１の合成手段は、１ラインの前記画像データと前記共通レイヤの素材データとが合成された画像データに対し、１ラインの前記第１の独自レイヤの素材データを合成することにより、１ラインの前記第１の合成画像データを生成し、
前記第２の合成手段は、１ラインの前記画像データと前記共通レイヤの素材データとが合成された画像データに対し、１ラインの前記第２の独自レイヤの素材データを合成することにより、１ラインの前記第２の合成画像データを生成する
ことを特徴とする請求項１に記載の画像処理装置。
【請求項４】
前記第１の合成手段と前記第２の合成手段は、それぞれが１ライン分の画像データを記憶可能な複数のラインメモリを有することを特徴とする請求項３に記載の画像処理装置。
【請求項５】
前記第１の合成手段により生成された前記第１の合成画像データを第１の表示部に出力する第１の出力手段と、前記第２の合成手段により生成された前記第２の合成画像データを第２の表示手段に出力する第２の出力手段とを備えることを特徴とする請求項１に記載の画像処理装置。
【請求項６】
撮像手段を備え、
前記メモリは前記撮像手段により得られた画像データを記憶する
ことを特徴とする請求項１に記載の画像処理装置。
【手続補正２】
【補正対象書類名】明細書
【補正対象項目名】００１０
【補正方法】変更
【補正の内容】
【００１０】
上記目的を達成するために、本発明に係る画像処理装置は、画像データと、前記画像データに合成される、複数のレイヤの素材データとを記憶するメモリと、前記メモリを制御するメモリ制御手段と、前記素材データのリクエストを出力し、前記メモリから読み出された素材データを、前記メモリから読み出された前記画像データに対して合成し、第１の合成画像データを生成する第１の合成手段と、前記素材データのリクエストを出力し、前記メモリから読み出された素材データを、前記メモリから読み出された前記画像データに対して合成し、第２の合成画像データを生成する第２の合成手段とを備え、前記複数のレイヤは、前記第１の合成画像データ及び前記第２の合成画像データのために共に用いられる素材データを含む共通レイヤと、前記第１の合成画像データ及び前記第２の合成画像データのうち一方のために用いられ他方のために用いられない素材データを含む独自レイヤとを含み、前記第１の合成手段と前記第２の合成手段が前記共通レイヤの素材データの合成を行う場合、前記第１の合成手段は前記共通レイヤの素材データのリクエストを出力して前記第２の合成手段は前記共通レイヤの素材データのリクエストを出力しないようにマスクし、前記メモリ制御手段は、前記第１の合成手段から出力された前記共通レイヤの素材データのリクエストに応じて前記共通レイヤの素材データを前記メモリから読み出して、前記第１の合成手段及び前記第２の合成手段に共に出力し、前記第１の合成手段が前記第１の合成画像データのための第１の独自レイヤの素材データの合成を行う場合、前記第１の合成手段は前記第１の独自レイヤの素材データのリクエストを出力し、前記メモリ制御手段は、前記第１の合成手段から出力された前記第１の独自レイヤの素材データのリクエストに応じて前記第１の独自レイヤの素材データを前記メモリから読み出して、前記第１の合成手段に出力し、前記第２の合成手段が前記第２の合成画像データのための第２の独自レイヤの素材データの合成を行う場合、前記第２の合成手段は前記第２の独自レイヤの素材データのリクエストを出力し、前記メモリ制御手段は、前記第２の合成手段から出力された前記第２の独自レイヤの素材データのリクエストに応じて前記第２の独自レイヤの素材データを前記メモリから読み出して、前記第２の合成手段に出力することを特徴とする。
【手続補正３】
【補正対象書類名】明細書
【補正対象項目名】００２８
【補正方法】変更
【補正の内容】
【００２８】
上記４条件が満たされる場合、同期制御部１０７は、タイミング発生部５０１（または５０２）から生成されたタイミング信号を画像合成部１０５Ａ，１０５Ｂに供給する。画像合成部１０５Ａは、レイヤ０から順に画像データを読み出し画像合成を行う。他方、画像合成部１０５Ｂは、共通レイヤの画像合成に対する動作と、独自レイヤの画像合成に対する動作が異なる。すなわち、共通レイヤに対しては、リクエスト・マスク制御部３０４Ｂがメモリ制御部１１２へのアクセス・リクエストをマスクする。そして、信号切換え部３０５Ｂが、画像合成部１０５Ａが発行したアクセス・リクエストでフレームメモリ１０４から読み出される画像データをＦＩＦＯ３０６Ｂに供給する。独自レイヤに対しては、リクエスト・マスク制御部３０４Ｂが読出し制御部３０３Ｂからのアクセス・リクエストをメモリ制御部１１２に供給する。そして、信号切換え部３０５Ｂが、画像合成部１０５Ｂが発行したアクセス・リクエストでフレームメモリ１０４から読み出される画像データをＦＩＦＯ３０６Ｂに供給する。